(57)【要約】      （修正有）【課題】寝ながら簡単に体力強化を図ることができ、人の性感帯を刺激することにより筋力強化運動や体力強化を図ることができる器具を提供する。【解決手段】器具は弾力性があり、概球状体であり、外部表面は平滑処理され、ゴム系材料を用いて製造され、内部に気体又は液体が密封され、気体又は液体挿入排出口がひとつ以上設置されている。【選択図】図２
0003227948.tif 000002
【実用新案登録請求の範囲】
【請求項１】
性器乃至性感帯を刺激する器具であって、
該器具は、性器や性感帯に当て、押圧、振動、摩擦、刺激することによって、快感を得る目的で使用され、
該器具は、弾力性があり、概球状体であり、外部表面は平滑処理され、ゴム系材料を用いて製造されかつ内部に気体又は液体が密封され、当該気体又は液体挿入排出口がひとつ以上設置されたことを特徴とする器具。
【請求項２】
人の器官を模倣した器官が設置されたか、又は特定の着色又はデザインが施された請求項１の器具。
【考案の詳細な説明】
【技術分野】
【０００１】  筋力強化運動において、性感覚を刺激し、爆発的運動エネルギーが活用できる器具に関する。
【背景技術】
【０００２】  本願考案は、筋力強化運動において、性感覚を刺激し、爆発的運動エネルギーが活用できる器具に関する考案である。
本願考案の器具は、第一に、モノの製造に関する考案である。しかし、器具の活用により、性感覚を刺激し、爆発的運動エネルギーにスイッチを入れるためには、そのコツややり方・考え方等に関する情報提供も必要であり、それらに関する情報提供をも含む考案でもあることが大きな特徴である。
しかしながら、やり方・考え方といっても、新型コロナウイルスに感染しない闘いのまっただなかにおいて、直感で得られた考えに基づいてできた考案であることに御留意願いたい。
しかも、それは、「科学万能の時代こそ、自由な直感力こそ大切にしなければならない」と、信じてきた考案者の思いでもあることは、記録しておきたい。【０００３】  ［高齢者問題の特徴］
筋力強化や体力強化運動の中には、「四つん這い運動」や「腕立て伏せ運動」がある。
しかし、仰向けに寝た姿勢から四つん這い姿勢になるためには、身体を回転させなければならない。そして、左右どちらかの腕を下にして身体を回さななければならなない。そして、その時、一時的に、方方の手で上半身を持ち上げて身体を回転させなければならない。
しかし高齢者になると、腕の力が弱くなり、１本の手で上半身を十分持ち上げることができなくなり、この回転が上手く行かなくなる。
しかしながら、これは、結果論として、分かる現実である。なぜなら、高齢者になると、ふかふかな寝具を利用する人が多くなる。しかし、高齢者の転倒・転落事故や転倒による骨折事故を防ぐためには、「脚力の強化」と同時に「肩関節の強化」も必要である。
なぜなら、「肩関節の強化」を図ることによって、「体幹」の強化や「腕の筋肉の強化」ができるようになる。しかし、大分部の高齢者にとって、この現実に気が付いたときは、トキ既にオソシである。つまり、本人が気がきがついたときには、対策は、手遅れであることが多いのだ。つまり、これが、高齢者問題の特徴なのだ。【０００４】  ［少子高齢化社会］
世界中が、いま、「新型コロナウイルス」という伝染病対策に、国を上げて取り組んでいる。この伝染病は、個人、個人の生死にかかわる伝染病ではあるが、中世に、世界的に蔓延したウイルスによる「天然痘」と同じく恐れられているのだ。より具体的に言えば、この伝染病は、人類全体の生存に係わる伝染病であり、この安全性が確保できなければ、その国や民族全体の経済崩壊や医療崩壊を招く次元の問題であると考えてられていたのだ。つまり、究極的な「危機管理、安全性問題」なのだ。
「危機管理、安全性問題」には、様々なレベルの問題がある。我が国では、つい先ごろまで、「少子高齢化」や「地球温暖化」が地球レベル、人類レベルの「危機管理、安全性問題」と考えられてきた。
しかし、冷静に考えて見ると、「新型コロナウイルス」に伝染しない闘いに目鼻がつけば、早晩、「少子高齢化問題」や「地球温暖化問題」に対応しなければならない。
そこで、「少子高齢化問題」や「地球温暖化問題」の現状について、考えて置くことは、有意義なことである。
まず、我が国の「少子高齢化問題」であるが、平成２８年（西暦２０１７年）現在、６５歳以上の高齢者人口は、総人口１億２６９８万人のうち、３４５９万人となり、高齢化率は２７．３％％となった。高齢化率が２１％を超えると、「超高齢化社会」と言われ、日本は、先進国のなかでもずば抜けて高齢化率が高いと考えられている。そしてなにが、高齢化社会の問題点かと言えば、働いて稼ぐ若者の人口が減り、働かないで暮らす高齢者の人口が増え、経済成長は鈍化し、年金負担等のアンバランスが増大するのではないかと考えられているのです。そして、国連の指摘によれば、人類は、いま、急激に高齢化率がすすんでいるというのです。
「新型コロナウイルス」との闘いをみると、世界各国は、国の威信、民族の威信をかけて、しのぎを削っており、果たして、人類の高齢化問題では、我が国が、果たせる役割はあるのかないのか、今から考えて置くべきではないかでしょうか。【０００５】    ［介護事業、医療事業の現状］
考案者は、パーキンソン病が原因で、デ―サービス事業の御厄介になっている。
まず、最初に指摘しなければならないことは、現状のデ―サービス事業においては、利用者の病気や症状に応じたリハビリ対策やアドバイスが発信できる体制が構築されていない、ということである。つまり、現状ので―ーサービス事業においては、パーキンソン病に限らず、アルツファイマー病や認知症、その他の病状に応じて対応できる「制度設計」が構築されていないということです。
そもそも、介護事業は、医療事業の延長線状に生まれてきた歴史があります。つまり、介護事業は、高齢化社会を目前にして、医療事業の延長線上に生まれてきた比較的新しい事業であることが分かる。
すると、介護事業の問題点は、取りも直さず、医療事業の問題点でもあることを疑わなければならない。
では、医療事業の問題点とは、一体、何であろうか。恐れ、恐れ考えて見ると、ある、あるお医者さんと言うと、偉すぎるのだ。昔、なく子供を静かにさせるのに、「お医者さんに言うよ。」と言ったもんです。泣いている子供が黙る位、偉かったのです。そうです。天の声、つまり、医師の独占的判断が優先され、人間全体の知恵が生かされてこなかかったのという点がでてきたのです。
しかしながら、今や、我が国は、超高学歴社会となり、医学や栄養学なのど医療関係エビデンスは、一昔前では考えられないほど普及してきました。
しかし、介護事業が現在かえている問題点は、医療事業ともどもも、双方が発展できる方策を考えるべきではないでしょうか。
つまり、医療現場が昔からかかえてきた医師万能論の価値観の転換を図らない限り、「医療事業への反省」は、できないのではないでしょうか。なぜなら、「偉過ぎるお医者さん作り」は、「一種の囲い込み」であり、「独占体制」づくりだからです。対極にあるのは「衆知の結集」「参加の拡大」ではないでしょうか。
現代社会は、一昔前と違って高学歴社会と言われています。この高学歴社会では、力学や物理学の知識は言うに及ばず、医学知識や栄養学などの科学的知識も普及し、医療関係エビデンスは、一昔前とは比べ様もない程、普及してきました。
一方、現代社会は、電子化時代とも言われ、大量な情報処理も瞬時に行うことが可能です。問題は、この情報処理能力を人の知恵が生かされ、民主主義を発展させる方向に使いうかでしょう。
岐路は、時代がどんなに変わっても、昔の体制の見直しもせず、やみくもに守ろうとする人類の浅ましい弱点が、高齢化社会の到来とともに、警鐘をならしているのではないでしょうか。
現状の介護現場や医療現場においては、本人がどんなに科学的エビデンスに基づいて「病状別研究」を行い「症例別対応」を行っても、その結果が適切に評価される仕組みはありません。素人が、ど素人、それぞれの感性をいかしながらの挑戦を、科学評的に選択・評価できる新しいシステム構築こそが今こそ求められているのではないでしょうか。
あの「新型コロナユイルス」でさえ、進化（進歩・発展）するというのですから。
現実の医療行政を前提に評価システムを作る場合には、医師万能論に陥り易く、なんとも前近代的な仕組みになると言わざるを得ません。人類文化の進歩・発展のためには大変モッタイナイことではないでしょうか。
介護現場や医療現場には、様々な問題点が考えられます。しかし、この中で大きな問題点は、介護事業にも医療事業にも「症例別研究」や「症例別対応」に取り組む意識も、意欲も育っていないという現実です。また、これらについての情報収集システムも構築されていないと言う現実です。【０００６】    ［現状のデ―サー事業の問題点］
次に、現状におけるデ―サービス事業の問題点を指摘すると次のとおりです。
まず、概してデ―サービス現場は、モラールが高い」と言っていでしょう￥しかし、ものの見方が細かなテクニックばかりに目を奪われ、大きな視点を持っていない介護士さんｙ達が多く、研修気化や情報手尾強体制がないのではないかと感じられます。そこで、私は、次のように言います。「デ―サービスには、入所して喜んでいる人ばかりじゃない。早く卒業したいと思っている人もいる。だれでも、寝込みたくないと思っている。テクニックも必要だが、その人がやりたいことを理解することは、もっと必要だ。」など。
また、やって欲しい事業や、事業に意見を言うことを嫌う経営者が多いとかんじた。
デ―サービス事業には、介護士、リハビリ士、栄養士、保健士などたくさんの専門家がいる。しかし、概して無口で、自己紹介や情報提供がないところがおおい。
個人のプライバシーに関与しないのはいいが、介護士さん達の体操指導においては、バラバラで、独善的で、一貫性がないことが多い。【０００７】  ［発見された性感の生理］
次に、市販のゴムボールを用いて筋力強化運動をしていて、発見された性感覚の生理について述べる。但し、当該生理について、因果関係を含めて自覚されたものばかりではないことに、ご留意戴きたい。また、自覚順序は、必ずしも、順序だったもの（記述順序に従がって自覚されたもの）ではない。さらに、生理として自覚された内容のまとめ方は、考案者の理解によるものであることに御留意願いたい。
まお、最初に分かった生理は、弾力性のあるゴム製ボールは、人の性感帯を刺激し、同時に性器の尾指圧等によっても快感が得られることが分かった。
なお、当該ゴム製ボールで性器を押圧しても、性感が得られることが自覚され、同様に、摩擦、振動接触させても、同様の効果が得られることが分かってから徐々に因果関係に自信を持ち、今回出願した一連の考案が完成した（自信を持って考案し、出願したもの）である。
【先行技術文献】
【０００８】
【特許文献１】実登第３０２３５１３号公報
【考案の概要】
【考案が解決しようとする課題】
【０００９】  超高齢化社会に入り、筋トレやストレッチなど体力強化に対するトレニーズが高まっている。しかしながら、既に述べたように現状のデーサービス事業には、限界や不十分さあるため、自宅におけるリハビリ補助などの補助的トレーニングを行った。
しかしながら、現状においては、高齢者やリハビリ経験者のトレーニングニーズに応える手ごろな商品はない。
そこで、本考案では、寝ながら簡単に体力強化を図ることができる器具を考案し、提供することとした。
そして、本願考案の第一の課題として、人の性感帯を刺激し、その快感によって筋力強化運動や体力強化を図ることができる器具を提供することを第一の課題とした。
また、高齢者やリハビリ経験者等が寝ながら「身体の強化」を図るため、人の皮膚感覚にマッチさせ、気持ち良く運動できることが重要であり、このことを実現できる器具を提供することを第二の課題とした。
さらに、器具の利用者自らが自らの意思で工夫して使用できることによって、快感が得られ、さらに「筋トレ」や「体力強化」運動に取り込めるように、やり方、考え方等に関する情報提供することことを第三の課題とした。
【課題を解決するための手段】
【００１０】  本願考案では、第一の課題を解決するため、寝ながら「筋トレ」や「体力強化」図ることができる器具として、考案した。そして、当該器具を利用する下半身衣類も考案した。
なお、当該器具を弾力性のある球状体とすることにより、性感帯や性器を広く刺できるようにした。
さらに、第二の課題を解決するため、当該枕の製造において、弾力性のあるゴム系原材料を使用して製造し、器具のそれぞれの表面を平滑処理し、器具の内部に気体又は液体をを密封し、人の皮膚感覚にマッチさせ、気持ち良く利用できるような解決手段を講じた。
さらに、第三の課題を解決するため、外形を単純化した球状体とすると同時に、明細書等に使用方法等について具体的に記述し、使用者自らが使用方法の工夫ができる情報提供を図る解決手段を講ずることとした。
【考案の効果】
【００１１】  本願考案の器具は、快感を得ると同時に「筋トレ」や「体力強化」や「足腰」の強化を図ることができる。「足腰」の強化や背骨や肩関節の強化は、関節まわりの筋委縮の進行が指摘されているパーキンソンソン病や筋委縮の進行が指摘されているアルツファイマー病や高齢者一般にとって有益な運動となることが思慮される。また、寝返り運動による「体幹」の強化は、横腹の強化に結び付くものであり、高齢者の体力強化、便秘解消にも役立つものと思慮されるのです。
特に、背骨回り、股関節の強化は、体幹の強化の要であり、直立二足歩行や転倒転落防止のためにも重要である。
また、複部のネジり運動による「体幹」の強化は、通常、困難な横腹の強化運度もできるものと思慮される。
また、「股関節の強化」や「足腰」の筋力の強化は、直立二足歩行と転倒転落防止のために重要な体力強化必要箇所である。特に、下半身の足腰や脚力の強化は、直立二足歩行、及び転倒・転落防止のため、最も重要な強化しなければならない箇所でもあり、本願考案は、この要請に的確に応えることができる。
また、解決手段２に示した人の皮膚感覚にマッチし、弱い力で実施できることにより、気持ち良く利用できるようになり、また解決手段３に示した、多様な利用が図れる簡素な形状としたことによって、使用者自らが使用方法の工夫をし、考えることができ、また情報提供を図ることとすること等によって、それに触発され、自分の経験則を思い出したり、新たな学習意欲が増大する効果も期待でき、納得できる点が多くなれば、更に、体力強化や、皮膚感覚や、重力が体重に及ぼす影響に関する学習意欲向上効果も期待できるものと思慮される。
【産業上の利用可能性】
【００１２】  本願考案は、高齢化社会やリハビリ社会の伸展のなかで、寝ながら「筋トレ」や「体力強化」を図ることができ、同時に「体幹」「跨関節」「足腰」の強化を図ることができるため、パーキンソンソン病やアルツファイマー病や高齢者一般にとって有益な運動となることが思慮され、産業上の利用可能性は、介護現場、医療現場、一般家庭を含めた広範な利用が期待できるものと考えられる。
また、本願考案の器具は、使用者本人が自分の快感増進、体力強化の必要性や重要性に気付くものであり、ベットなど各種寝具に具備されれば、手すりなどの付属器具を利用した強化運動も可能であり、利用可能性はさらに高まるものと考えられるのです
【図面の簡単な説明】
【００１３】
【図１】ブリーフ型下半身衣類に設置された器具の概略図の様子の１例図である。（Ａ図は、図１の前部正面図の１例図。）（Ｂ図は、図１の後部正面図の１例図。）
【図２】請求項２に基づいて作成されたブリーフ型下半身衣類に、器具が設置された様子の１例図。（Ａ図は、図２の前部正面図の１例図）（Ｂ図は、図２の後部正面図の１例図）
【考案を実施するための形態】
【００１４】  本願考案の器具は、もっぱら、人の性感向上、筋力強化、体力強化に使用する器具に関する考案である。
該器具は、弾力性があるため、股関節や両股に挟み使用する。力の加え方は、自由である。また、性器への押圧も自由である。あお向けに寝て使用するも、うつぶせに寝て使用するも自由である。性器への接触や性器押圧も、自由である。好き・嫌いに応じて、うつぶせや仰向けの姿勢で使用しても良い。
通常、球状体の大きさは、とわない。但し、好き嫌いにもよるが、直径１０ｃｍ以上、３０ｃｍ以内が適当だと思慮される。つまり、サイズはおおきからず、小さからずである。
【００１５】  ［請求項の補足］
請求項１にいう「弾力性」は、原材料であるゴム系材料が、密封された「気体又は液体」との間で作られる弾力性をいう。また、「ゴム系」とは、天然ゴム系と合成ゴム系の双方を指すものとする。また。「密閉式気体又は液体挿入排出口」とは、通常の使用において、密閉された気体股が液体が漏れないことをいう。また。請求項２にいう「把持部」とは、ホルダー部に挿入した器具の位置を変えるため、また、器具と性器や性感帯への押圧、振動、接触、摩擦力を加える為、下半身衣類を固定し、引っ張るための把持部をいうものとする。また、把持部を固定し、引っ張るために行うホルダー部の加工は、設計事項とする。また、請求項２の「把持部」と「解放部」の形状等も設計事項とする。
【実施例１】
【００１６】  筋力強化運動や体力強化運動は、様々な方法が考えられる。
ひとつの方法は、球状体を跨関節から足先までの間に挟み、そのまま、両足を天井にｋ向かって持ち上げたり、おろしたりする運動を行う。
この運動は、「足腰」の強化に最適であろう。球状体を挟位置を変えれば、快感の刺激も大きくなり、また「筋トレ効果」も異なるものと、考えられる。
【実施例２】
【００１７】  次の方法は、実施例１の運動に際して、仰向けブリッジを意識的に行い、両股を閉める運動を行う場合は、実施例２といいうものとする。
【実施例３】  次の方法は、仰向けに寝て、身体を横に捻り、１回転させ、「四つん這い」になり、「腕立て伏せ運動」や両手両膝を付いて身体゛全体を前後に大きく揺する「腕立てグラインド運動」を行います。【００１８】［セックス体操］
本考案の器具を使用すると、性感覚を向上させることができる。
性の快感を向上させるためには、性器の下に球状体を敷く、ことである。
【符号の説明】
【００１９】  （図１は、請求項１に基づいて、ブリーフ型下半身衣類に、弾力性のある球状体を挿入した１例図）
（Ａ図は、図１の前部正面図の１例図。）
（Ｂ図は、図１の後部正面図の１例図。）
１−１は、胴体挿入部
１−２は、右足挿入部
１−３は、左足挿入部
１−Ｘは、挿入された弾力性のある球状体
（図２は、請求項２に基づいて、ブリーフ型下半身衣類に、弾力性のある球状体を挿入した１例図）
（Ａ図は、図２の前部正面図の１例図）
（Ｂ図は、図２の後部正面図の１例図）
２−１は、胴体挿入部。請求項２に基づく把持部は、この胴体挿入部                の淵部周囲に設置される。
２−２は、右足挿入部
２−３は、左足挿入部
２−Ｙは、ブリーフ前部の解放部の１例図
【図１】
0003227948.tif 000003
【図２】
0003227948.tif 000004